(57)【要約】【課題】排水トラップに接続した洗濯機の排水ホースの取り廻しを阻害することなく、ホース取り付け用のエルボを確実且つ強固に取り付ける。【解決手段】目皿が取り付けられたトラップ本体の開口からトラップ本体内で支持した消泡筒を突出させ、消泡筒の開口にホース取り付け用エルボを嵌め入れて構成される排水トラップにおいて、ホース取り付け用エルボの端部に外方へ張り出した突部を形成し、この突部を消泡筒の内周面に形成された段部に係合させてホース取り付け用エルボを消泡筒に一体に連結させる。【選択図】図１
2007113225.tif 000002
【特許請求の範囲】
【請求項１】
目皿が取り付けられたトラップ本体の開口からトラップ本体内で支持した消泡筒を突出させ、消泡筒の開口にホース取り付け用エルボを嵌め入れて構成される排水トラップにおいて、
ホース取り付け用エルボの端部に外方へ張り出した突部を形成し、この突部を消泡筒の内周面に形成された段部に係合させてホース取り付け用エルボが消泡筒に一体に連結されることを特徴とする排水トラップ。
【発明の詳細な説明】
【技術分野】
【０００１】
本発明は、床面の排水口に取り付けられ、洗濯機の排水ホースなどが接続される排水トラップの構造に関する。
【背景技術】
【０００２】
従来の排水トラップとして、例えば図５（Ａ）に示されるように、トラップ本体５１の開口面に目皿受５２を介して目皿５３を取り付け、この目皿５３の開口縁部にホース取り付け用のエルボ５４の端部を凹凸嵌合により取り付けて固定する構造のものが知られている。この構造では、エルボ５４が目皿５３との嵌合位置に固定されて任意の方向へ回転させることができず、エルボ５４の他端部に取り付けられる排水ホースの取り廻しを阻害するという問題がある。
そのため、例えば同図（Ｂ）に示されるように、エルボ５４の端部を僅かに先細り状に形成しておき、これをトラップ本体５１内で支持された消泡筒５５の開口に嵌め入れるなどして、エルボ５４の接続部が端部軸周りに回転し得るように取り付ける構造のものが多用されていた（例えば特許文献１参照）。
【０００３】
【特許文献１】実開平６−７１５６５号公報
【発明の開示】
【発明が解決しようとする課題】
【０００４】
エルボ５４の端部を先細り状に形成して消泡筒５５に嵌め入れた場合、エルボ５４を自在に回転させることが可能である。しかし、その反面、エルボ５４が消泡筒５５から抜けやすくなり、また、エルボ５４を嵌め入れ操作するときのクリック感もないことから、エルボ５４を消泡筒５５の開口端に根元までしっかりと差し込まず、嵌め入れが不十分であったために排水ホースとともにエルボ５４が外れてしまい、洗濯の排水を溢れ漏れさせてしまいやすいという問題があった。
【０００５】
本発明は従来技術の有するこのような問題点に鑑み、排水ホースを接続して洗濯機などの排水を排水配管に導くための排水トラップにおいて、排水トラップに接続したホースの取り廻しを阻害することなく、ホース取り付け用のエルボを確実且つ強固に取り付けることができるようにすることを課題とする。
【課題を解決するための手段】
【０００６】
前述の通り、ホース取り付け用のエルボを目皿に嵌合固定したのでは排水ホースの取り廻しに不便であり、ホースの取り廻しの便宜上、消泡筒にエルボを連結する構成とするのが好ましい。また、消泡筒を射出成形する際に、筒の内周面には金型分割面に沿った段部が形成され、この段部を境に筒の内径はエルボが差し込まれる開口端側が僅かに小さく、他側が僅かに大きくなる。そこで、本発明では、消泡筒内に形成される段部を利用し、筒内に嵌め入れたエルボを段部に係合させることで、エルボが消泡筒から抜け外れ難いように構成した。
【０００７】
すなわち、本発明は、目皿が取り付けられたトラップ本体の開口からトラップ本体内で支持した消泡筒を突出させ、消泡筒の開口にホース取り付け用エルボを嵌め入れて構成される排水トラップにおいて、ホース取り付け用エルボの端部に外方へ張り出した突部を形成し、この突部を消泡筒の内周面に形成された段部に係合させてホース取り付け用エルボが消泡筒に一体に連結されることを特徴とする。
【０００８】
ホース取り付け用のエルボは、ゴム系やビニル系、ポリプロピレン系樹脂などにより成形することができる。突部は、エルボの端部から外側周方向へ張り出していて、エルボを消泡筒の開口端部に嵌め入れたときに当該筒内周面の段部に係合するように設けられる。突部は、エルボの端部外周面に１個以上設けた適宜な形状の突起や爪、全周に突出させたバジル形などに形成することができる。突部はエルボと一体に成形しても、後付けで一体化させてもよい。なお、エルボに設けた突部に対応させて、金型分割面による段部とは別に、突部が係合する凹段部を消泡筒内周面に設けてもよい。
【０００９】
これによれば、トラップ本体に取り付けられた消泡筒の開口にエルボの下端部を同軸上に配して上方から押し込むことにより、エルボを消泡筒に取り付けることができる。取り付け操作の際、エルボの端部を消泡筒の開口に押し入れれば、エルボの弾性によって突部が設けられた端部が若干収縮して消泡筒内に嵌まり込み、そのまま力を加えてエルボを圧入すれば、端部が消泡筒内周面の段部に到達する深さまで押し入ったときにエルボ端部の収縮が解除されて突部が段部に係合し、同時に「カチッ」というクリック感触がエルボを持つ手に伝わって、エルボの端部が消泡筒内周面の所定位置に係合したことを確認することができる。
消泡筒に取り付けられたエルボは、突部が段部に係合しているので抜け外れ難く、また、エルボを回転させると突部が段部に沿って摺動するので、エルボに取り付けられた排水ホースを消泡筒の軸周りに自在に回転させることが可能であり、排水ホースの取り廻しも容易に行うことができる。
【発明を実施するための最良の形態】
【００１０】
本発明の好適な実施の形態を図面を参照して説明する。
図１は本発明の一実施形態の排水トラップの縦断面、図２は図１のエルボと消泡筒の拡大断面図、図３は消泡筒に連結したエルボの端部拡大図、図４はエルボの他の実施形態の外観図であり、各図において、符号１は排水トラップ、２はトラップ本体、３は目皿受、４は目皿、５は消泡筒、６は排水ホース取り付け用のエルボをそれぞれ示している。
【００１１】
図１に示されるように、本発明の排水トラップ１は、トラップ本体２の開口面に目皿受３を介して目皿４を取り付け、トラップ本体１内には消泡筒５を支持させ、目皿４の中央開口を通して上方に突出させた消泡筒５の開口５１に、排水ホース（図示せず）と消泡筒５とを接ぎ合わすエルボ６を嵌め入れ、連結一体化させた構成としてある。
【００１２】
より詳しくは、図２に示されるように、エルボ６は、その一側６１が排水ホースの端部を接続し一体に固定できるように形成され、また、他側６２は消泡筒５の開口５１内に嵌め入れることができるように、その外径寸法を消泡筒５の開口５１面内に水密にすっぽりと嵌まる大きさとし、且つ先端側を僅かに先細りさせた形状に設けてある。
また、他側６２の外周面であってエルボ６の屈曲部近傍の位置にはフランジ６２ａ、先細り状端部の開口を挟んだ対向位置には外方へ僅かに張り出した突部である突起６２ｂ、６２ｂをそれぞれ設けてある。両突起６２ｂは、エルボ６の他側６２の端部を消泡筒５の開口５１内に圧入することができるとともに、図３に示されるように、エルボ６が開口５１の端部から所定の深さ没入した位置で消泡筒５の内周面に形成された段部５２に係合する大きさ及び形状に設けてある。また、両突起６２ｂが係合した位置で、フランジ６２ａが消泡筒５の開口５１の端面に接合するように設けてある。
【００１３】
エルボ６は、他側６２の端部を消泡筒５の開口５１に向けて同軸上に配し、これを上方から押し込んで圧入することにより、消泡筒５に取り付けられる。この際、エルボ６の他側６２の端部を消泡筒５の開口５１内に嵌め入れて押し込めば、突起６２ｂが設けられた先端部が若干収縮して消泡筒５内に嵌まり込み、そのまま力を加えてエルボ６を圧入すると、当該端部が消泡筒５内周面の段部５２に到達する深さまで没入したときに端部の収縮が解除されて突起６２ｂが段部５２に係合し、同時に「カチッ」というクリック感触がエルボ６を持つ手に伝わって、エルボ６の端部が消泡筒５内で段部５１に係合したことを確認することができる。
消泡筒５に取り付けられたエルボ６は、突起６２ｂが段部５２に係合しているので抜け外れ難く、また、エルボ６を回転させると突起６２ｂが段部５２に沿って摺動するため、エルボ６の一側６１に取り付けられた排水ホースを消泡筒５の軸周りに自在に回転させることが可能である。
【００１４】
なお、突起６２ｂは、図４（Ａ）に示されるように、エルボ６の端部外周面に沿って複数個を設けてもよい。また、突起６２ｂに代わる突部として、同図（Ｂ）に示されるような爪片６２ｃをエルボ６の端部外周面に複数設けたり、或いは同図（Ｃ）に示されるようにエルボ６の端部外周面に沿ってバルジ状に連続した突部６２ｄとしたりしてもよい。各形状の突部は何れも消泡筒５内周面の段部５２に係合する大きさ及び形状に形成される。
【００１５】
なお、図示した排水トラップの形態は一例であり、本発明は図示した形態に限定されず、他の適宜な形態に構成可能である。
【図面の簡単な説明】
【００１６】
【図１】本発明の一実施形態の排水トラップの縦断面である。
【図２】図１のエルボと消泡筒の拡大断面図である。
【図３】消泡筒に連結したエルボの端部拡大図である。
【図４】（Ａ）〜（Ｃ）はエルボの他の実施形態の外観図である。
【図５】（Ａ）、（Ｂ）は従来形態の排水トラップの縦断面である。
【符号の説明】
【００１７】
１  排水トラップ、２  トラップ本体、３  目皿受、４  目皿、５  消泡筒、５１  段部、６  エルボ、６２ａ  フランジ、６２ｂ  突起
【図１】
2007113225.tif 000003
【図２】
2007113225.tif 000004
【図３】
2007113225.tif 000005
【図４】
2007113225.tif 000006
【図５】
2007113225.tif 000007